(57)【要約】  本発明は、通信システム及び通信の方法を提供する。上記通信システムは、衛星受信機によって所定の地理的区域内で受信される第１信号を送信するように構成された衛星送信機と、地上受信機によっ上記所定の地理的区域内で受信される第２信号を送信するように構成された地上送信機とを具備する。上記第１及び第２信号は、共通無線周波数帯を共有する。上記システムは、上記衛星受信機に関連したアンテナにおいて地平線に対して第１角度で上記第１信号を受信するように構成される。上記第１角度は、上記第２信号が上記アンテナで受信される際の地平線に対する第２角度よりも大きい値をとる。これにより、上記衛星受信機が上記第２信号から上記第１信号を識別可能となる。また、上記地上送信機及び受信機は、マルチ入力マルチ出力（ＭＩＭＯ）システムを動作させ、上記地上受信機が上記第１信号から上記第２信号を識別可能となるように構成される。
2011512060.tif 000002
【特許請求の範囲】
【請求項１】
通信システムであって、
所定の地理的区域内で受信可能な第１信号を送信するように構成された衛星送信機と、
前記第１信号を受信するように構成された衛星受信機と、
前記所定の地理的区域内で受信可能な第２信号を送信するように構成された地上送信機と、
前記第２信号を受信するように構成された地上受信機と
を具備し、
前記第１信号及び前記第２信号は、共通無線周波数帯を共用し、
前記第１信号は、前記衛星受信機に関連したアンテナにおいて地平線に対して第１角度で受信され、
前記第２信号は、前記アンテナにおいて地平線に対して第２角度で受信され、
前記衛星受信機が前記第２信号から前記第１信号を識別する機能を実現するように、前記第１角度は、前記第２角度よりも大きい値をとり、
前記地上送信機及び前記地上受信機は、マルチ入力マルチ出力（ＭＩＭＯ）システムを動作させて、前記地上受信機が前記第１信号から前記第２信号を識別する機能を実現するように構成されていることを特徴とする通信システム。
【請求項２】
前記アンテナが、前記第２信号に対する利得よりも少なくとも１５ｄＢ大きい前記第１信号に対する利得を有した指向性アンテナであることを特徴とする請求項１に記載の通信システム。
【請求項３】
前記アンテナが、少なくとも１２ｄＢｉの総利得を有することを特徴とする請求項１又は２に記載の通信システム。
【請求項４】
前記地上送信機が１本以上のアンテナを具備するように構成され、
前記地上受信機が２本以上のアンテナを具備するように構成されることを特徴とする請求項１ないし３のいずれか１項に記載の通信システム。
【請求項５】
前記地上送信機が基地局送受信機であり、
前記地上受信機がユーザ送受信機であり、
前記ユーザ送受信機は、前記基地局送受信機によって受信される第３信号を送信するように構成されることを特徴とする請求項１ないし４のいずれか１項に記載の通信システム。
【請求項６】
前記第３信号が、前記衛星受信機に関連したアンテナにおいて地平線に対して第３角度で受信され、
前記衛星受信機が前記第３信号から前記第１信号を識別する機能を実現するように、前記第１角度は、前記第３角度よりも大きい値をとることを特徴とする請求項５に記載の通信システム。
【請求項７】
前記第１信号がデジタルマルチメディアブロードキャスト信号であることを特徴とする請求項１ないし６のいずれか１項に記載の通信システム。
【請求項８】
前記第１信号が、ＤＶＢ−Ｔ又はＤＶＢ−Ｈ方式に準拠した信号であることを特徴とする請求項７に記載の通信システム。
【請求項９】
前記第２信号が移動遠隔通信信号であることを特徴とする請求項１ないし８のいずれか１項に記載の通信システム。
【請求項１０】
前記第２信号が、ＷｉＭＡＸ ＭＩＭＯ方式に準拠した信号であることを特徴とする請求項９に記載の通信システム。
【請求項１１】
前記ＭＩＭＯシステムが、前記地上受信機と前記地上送信機との間に１つ以上のフィードバックループを有するように構成されることを特徴とする請求項１ないし１０のいずれか１項に記載の通信システム。
【請求項１２】
前記衛星送信機が、静止軌道から送信を行うように構成されることを特徴とする請求項１ないし１１のいずれか１項に記載の通信システム。
【請求項１３】
水平線に対する前記第１角度が、５０度と９０度との間の角度であることを特徴とする請求項１ないし１２のいずれか１項に記載の通信システム。
【請求項１４】
前記共通無線周波数帯が、極超短波（ＵＨＦ）帯であることを特徴とする請求項１ないし１３のいずれか１項に記載の通信システム。
【請求項１５】
前記共通無線周波数帯が、４７０ＭＨｚから８６２ＭＨｚの範囲の周波数であることを特徴とする請求項１４に記載の通信システム。
【請求項１６】
通信方法であって、
衛星受信機によって受信される第１信号を所定の地理的区域に送信する段階と、
地上受信機によって受信される第２信号を前記所定の地理的区域に送信する段階と、
前記衛星受信機に関連したアンテナにおいて地平線に対して第１角度で前記第１信号を受信する段階と、
前記アンテナにおいて地平線に対して第２角度で前記第２信号を受信する段階と、
前記第１角度と前記第２角度との違いに基づいて、前記第２信号から前記第１信号を識別する段階と、
前記地上受信機が前記第１信号から前記第２信号を識別する機能を実現するように、マルチ入力マルチ出力（ＭＩＭＯ）システムを動作させる段階と
を有し、
前記第１信号及び前記第２信号は、共通無線周波数帯を共用し、
前記第１角度は、前記第２角度よりも大きい値をとることを特徴とする方法。
【請求項１７】
前記ＭＩＭＯシステムが、前記地上受信機と前記地上送信機との間に１つ以上のフィードバックループを有するように構成されることを特徴とする請求項１６に記載の方法。
【請求項１８】
前記第１信号を静止軌道から送信する段階を有することを特徴とする請求項１６又は１７に記載の方法。
【発明の詳細な説明】
【技術分野】
【０００１】
本発明は、通信システム及び通信の方法における周波数共用に関し、これに限定しないが特に、同一の地理的区域において、共通無線伝送周波数帯を２つの通信信号放送で共用できるようなシステム及び方法に関する。
【背景技術】
【０００２】
所与の地理的区域内の別個の通信システムは、相互干渉を避けるために、異なる周波数で動作することが要求されるというのが、一般的に認識されている無線通信の特徴である。衛星通信の場合、衛星は、通常、広い地理的区域に比較的弱い電力束密度しか有さない信号を送信する。これは、受信を行う機器が高い感度を有さなければならず、同一の地理的区域及び同一の周波数帯で動作する地上通信システムと同時に衛星システムを使用することが困難又は不可能であることを意味する。
【０００３】
したがって、多くの衛星通信システムは、国際電気通信連合（ＩＴＵ）を通じて世界的に協調化がなされた専用の周波数帯で動作する。
【０００４】
来るべきアナログテレビ放送からデジタルテレビ放送への切り替えの後、極超短波（ＵＨＦ）帯のかなりの範囲が利用可能となる。これは、より正確な伝送範囲及びより強い電力束密度の性能を衛星に提供する技術の進歩と組み合わされ、衛星を介して、デジタルテレビジョン信号などのＵＨＦ信号を広い地理的区域にわたって低コストで配信することを可能とする。
【０００５】
しかしながら、衛星は、所定の有効範囲にわたってほぼ均一な信号強度しか提供せず、同区域内で同一の周波数で動作する別の地上通信システムの妨げとなる。
【０００６】
本発明は、これらの問題点に取り組むことを目的とする。
【発明の概要】
【課題を解決するための手段】
【０００７】
本発明によれば、所定の地理的区域内で受信可能な第１信号を送信するように構成された衛星送信機と、上記第１信号を受信するように構成された衛星受信機と、上記所定の地理的区域内で受信可能な第２信号を送信するように構成された地上送信機と、上記第２信号を受信するように構成された地上受信機とを具備した通信システムが提供される。上記第１及び第２信号は、共通無線周波数帯を共用する。上記システムは、上記第１信号が上記衛星受信機に関連したアンテナにおいて地平線に対して第１角度で受信され、上記第２信号が上記アンテナにおいて地平線に対して第２角度で受信されるように構成される。上記衛星受信機が上記第２信号から上記第１信号を識別する機能を実現するように、上記第１角度は、上記第２角度よりも大きい値をとる。上記地上送信機及び受信機は、マルチ入力マルチ出力（ＭＩＭＯ）システムを動作させて、上記地上受信機が上記第１信号から上記第２信号を識別する機能を実現するように構成されている。
【０００８】
したがって、本発明は、衛星送信波が受信される角度に基づいて、衛星受信機が同一の周波数帯における地上送信波からの干渉を回避する機能を有したシステムを提供する。これにより、衛星送信波と地上送信波との識別の大部分がアンテナで行われるので、衛星受信機は、比較的単純な信号処理回路を備えるだけでよいようになる。地上システムは、ＭＩＭＯ技術を使用して、衛星送信波に起因する信号品質の劣化を軽減できる。
【０００９】
上記衛星受信機に関連したアンテナは、上記第２信号に対する利得よりも少なくとも約１５ｄＢ大きい上記第１信号に対する利得を有した指向性アンテナであり、及び／又は、少なくとも１２ｄＢｉの総利得を有してよい。
【００１０】
上記地上送信機が１本以上のアンテナを具備するように構成され、かつ上記地上受信機が２本以上のアンテナを具備するように構成されてよい。
【００１１】
上記地上送信機が基地局送受信機であり、かつ上記地上受信機がユーザ送受信機であってよく、上記ユーザ送受信機は、上記基地局送受信機によって受信される第３信号を送信するように構成される。したがって、上記システムは、上記第３信号が上記衛星受信機に関連したアンテナにおいて地平線に対して第３角度で受信されるように構成される。上記衛星受信機が上記第３信号から上記第１信号を識別する機能を実現するように、上記第１角度は、上記第３角度よりも大きい値をとる。
【００１２】
上記第１信号は、デジタルマルチメディアブロードキャスト信号であってよく、例えば、ＤＶＢ−Ｔ又はＤＶＢ−Ｈ方式に準拠した信号である。上記第２及び／又は第３信号は、移動遠隔通信信号であってよく、例えば、ＷｉＭＡＸ ＭＩＭＯ方式に準拠した信号である。
【００１３】
上記ＭＩＭＯシステムは、上記地上受信機と上記地上送信機との間に１つ以上のフィードバックループを有するように構成されてよい。したがって、上記地上受信機と上記地上送信機とのうちのいずれか一方での状況についてのフィードバック情報を用いて、上記第２及び／又は第３信号の送信チャネルを改善できる。
【００１４】
上記衛星送信機は、静止軌道から送信を行ってよい。
【００１５】
水平線に対する上記第１角度は、およそ５０度と９０度との間の角度であってよい。
【００１６】
上記共通無線周波数帯は、極超短波（ＵＨＦ）帯であってよい。好ましくは、本発明は、４７０ＭＨｚから８６２ＭＨｚの範囲の周波数である、アナログ−デジタル変換によって利用可能となる周波数帯を利用する。
【００１７】
また、本発明によれば、衛星受信機によって受信される第１信号を所定の地理的区域に送信する段階と、地上受信機によって受信される第２信号を上記所定の地理的区域に送信する段階と、上記衛星受信機に関連したアンテナにおいて地平線に対して第１角度で上記第１信号を受信する段階と、上記アンテナにおいて地平線に対して第２角度で上記第２信号を受信する段階と、上記第１角度と上記第２角度との違いに基づいて、上記第２信号から上記第１信号を識別する段階と、上記地上受信機が上記第１信号から上記第２信号を識別する機能を実現するように、マルチ入力マルチ出力（ＭＩＭＯ）システムを動作させる段階とを有する方法が提供される。ここで、上記第１及び第２信号は、共通無線周波数帯を共用し、上記第１角度は、上記第２角度よりも大きい値をとる。
【図面の簡単な説明】
【００１８】
【図１】本発明による通信システムの概略図である。
【図２】図１の通信システムの構成要素をより詳細に図示する。
【図３】図１の通信システムの地表アンテナで受信する衛星及び地上送信波の入射角度を図示する。
【図４】図１の通信システムの衛星によって使用される静止衛星軌道を図示する。
【図５】本発明による別の通信システムの概略図である。
【発明を実施するための形態】
【００１９】
これより、例示を目的として添付の図面を参照し、本発明の各実施形態について記載する。
【００２０】
図１を参照すると、通信システム１は、衛星信号３を衛星受信機４に送信するように構成された衛星送信機２を具備する。衛星信号は、本実施例では、衛星テレビジョン受信機４、例えば、セットトップボックス、で受信した、ＤＶＢ−Ｔ準拠デジタルマルチメディアブロードキャスト信号である。
【００２１】
また、システム１は、往路地上信号６を地上ユーザ送受信機７に送信するように構成された地上又は地表基地局送受信機５を具備する。地上ユーザ送受信機７は、復路地上信号８を基地局送受信機５に送信するように構成されている。往路及び復路地上信号６，８は、本実施例では、マルチ入力マルチ出力（ＭＩＭＯ）ＷｉＭＡＸ準拠信号である。
【００２２】
したがって、衛星信号３と地上信号６，８とは、互いに独立した情報を伝達する。
【００２３】
衛星信号３及び地上信号６，８は、共通無線周波数帯を共有し、特に、同一の搬送波周波数又は周波数帯域内の搬送波周波数を共有するように構成される。本実施例では、共通周波数帯は、極超短波（ＵＨＦ）帯であり、特に、４７０〜８６２ＭＨｚの範囲の周波数である。これには、アナログテレビ放送からデジタルテレビ放送への切り替えの結果として利用可能となる周波数が含まれる。
【００２４】
衛星送信機２及び地上送受信機５，７は、各自の信号３，６，８を送信し、その結果、衛星信号３と、往路地上信号６及び復路地上信号８のうちの少なくとも１つとが、所定の地理的区域内の何処ででも受信可能となる。衛星受信機４及び地上送受信機５，７がこの区域内にそれぞれ位置している場合、ある程度までは、衛星信号３もまた地上送受信機５，７で受信され、かつ、２つの地上信号６，８のうちの少なくとも１もまた衛星受信機４で受信される。その結果生じる追加的な信号経路が、図１中に破線で示される。
【００２５】
衛星受信機４は、本実施例では、シングル入力シングル出力（ＳＩＳＯ）受信機であり、故に、衛星の１つのアンテナから送信された衛星信号３を受信するためには、１つのアンテナだけが用いられる。衛星受信機４が２つの地上信号６，８のうちの１つ又はその両方から衛星信号３を識別するために、システム１は、衛星信号３が、地平線に対して大きな角度を取るか、又は、地上信号６，８よりも大きい仰角を取って衛星受信機４に到達するように構成される。衛星受信機４のアンテナは、それらの信号が受信される方向の違いに基づいて、衛星信号３に対する感度を最大化し、かつ地上信号６，８に対する感度を最小化するように向きを決定される。結果的に、受信機４に到達する地上信号６，８は、衛星信号３に比べて著しく減衰する。
【００２６】
地上送受信機７及び基地局送受信機５は、本実施例では、複数のアンテナを用いて各自の往路及び復路地上信号６，８を受信するマルチ入力マルチ出力（ＭＩＭＯ）送受信機である。ＭＩＭＯは、通信システムの頑健性及び／又は処理能力を向上させるための、空間ダイバーシティ、符号ダイバーイティ、及び偏波ダイバーシティなどのダイバーシティ領域を活用するための手段として広く知られた技術である。
【００２７】
一般に、ＭＩＭＯシステムは、複数の送信アンテナと複数の受信アンテナとによって特徴付けられる。ｐ本の送信アンテナとｑ本の受信アンテナを備えたシステムでは、送信機と受信機との間に、ｐ×ｑチャネルが存在する。したがって、通信システム１の基地局及びユーザ送受信機５，７においてＭＩＭＯシステムを用いることによって、衛星信号３の干渉に起因した地上信号６，８の信号品質の劣化は、本実施例においては地上送受信機５，７のそれぞれで実行される、信号処理によって軽減できる。例えば、このような処理は、利用可能なチャネルのうち最良のものを選択することによって、複数のチャネルのダイバーシティを活用できるようにする。
【００２８】
図２は、図１の通信システムをより詳細に示す。
【００２９】
図２を参照すると、衛星９は、衛星アンテナ１０に接続された衛星送信機２を具備している。衛星アンテナ１０は、衛星信号３を衛星受信機４にブロードキャストする。衛星信号３は、地表アンテナ１１を介して、衛星受信機４で受信される。衛星９は、本実施例では、ＵＨＦ無線信号を用いるように構成されている。
【００３０】
衛星送信機２は、従来の衛星送信機に比べて、比較的強い信号を提供するように構成されている。本実施例において、衛星送信機２は、所定の有効範囲内だけの全方向性５ＭＷ信号源として表され、約−９６ｄＢＷ／ｍ２の地表信号束密度を提供する。所定の有効範囲は、本実施例では、往路及び復路地上信号６，８のうちの少なくとも１つを受信可能な所定の地理的区域を包含する。
【００３１】
図３に示されたように、衛星信号３は、地表アンテナ１１において角度θ１で受信される。この角度θ１は、本実施例では、地平線に対して５０〜９０度となる。一方、２つの地上信号６，８は、地上アンテナ１１において、それぞれ、角度θ２及び角度θ３で受信される。角度θ２，θ３は、地平線に対して１０度を超える角度にならない。
【００３２】
地表アンテナ１１は、指向性アンテナであり、本実施例では、八木宇田アンテナである。指向性アンテナは、衛星９の方を向くように構成されており、その結果、小さな仰角で信号源から受信する信号に対して低い感度となる。好ましくは、地表アンテナ１１は、１２〜２０ｄＢｉの利得を有する。衛星及び地上信号３，６，８を受信した異なる仰角θ１，θ２，θ３の結果として、また、地表アンテナは、地上信号６，８に対してよりも少なくとも１５ｄＢ大きい、衛星信号３に対する利得を有するように構成される。
【００３３】
本実施例では、地表アンテナ１１が八木宇田アンテナとして記載されているが、異なる送信利得、及び／又は、アンテナで受信した信号の入射角に従って利得に別の変化をもたらすような、異なる指向性特性を有した他の指向性アンテナが使用されてもよい。好ましくは、衛星受信機４は、従来の衛星受信機に比べて、比較的感度が低く、かつ、比較的高い雑音レベルを有する。
【００３４】
通信システム１は、衛星９に対する仰角が少なくとも５０度である場合に、世界のさまざまな地域で動作するように構成される。例えば、大きい仰角は、静止軌道上の複数の衛星を使用して、アフリカ大陸の大部分などの赤道地域で達成できる。また、本発明は、モルニヤ軌道などの代替軌道を衛星に使用することができる。例えば、モルニヤ軌道の衛星を使用して、ロシア連邦の一部やカナダなどの高い北緯度を有した地域に、本発明の衛星信号３を提供できる。
【００３５】
図４を参照すると、通信システム１の衛星９の静止軌道が示されている。衛星９は、地球の赤道１７の真上で軌跡１６を描く。衛星９は、地球の対恒星自転周期に一致する軌道周期を有するとともに、基準海面の約３５，７８６ｋｍ上空で軌道を描くように構成される。衛星３は、この実施例では、アフリカ大陸の赤道地域に位置した地理的区域１８上に提供される。
【００３６】
再び図２を参照すると、地上基地局送受信機５は、第１及び第２基地局アンテナ１２，１３に接続されている。これらはそれぞれ、往路地上信号６をユーザ地上送受信機７、この実施例では、移動デバイス、に送信することと、移動デバイス７から復路地上信号８を受信することとを行う。移動デバイス７は、地上信号６を受信し、復路地上信号８を基地局５に送信するための第１及び第２ユーザ地上アンテナ１４，１５を具備する。これらのアンテナ１２，１３，１４，１５は、送信された信号の受信動作を行う際には、受信アンテナと称され、信号の送信動作を行う際には、送信アンテナと称される。
【００３７】
ＭＩＭＯシステム内の送信の方向毎のチャネルモデルは、以下のように示すことができる。
ｙ＝Ｈ・ｘ＋ｎ
ここで、ｘは、大きさｐのベクトルであって、送信された地上信号を表し、ｙは、受信信号を表す大きさｑのベクトルであり、Ｈは、ＭＩＭＯチャネルを形成する大きさｐ×ｑの行列であり、ｎは、ＭＩＭＯチャネルの雑音を表す大きさｑのベクトルである。すべてのベクトル及び行列の要素は、いくつかの成分からなる。
【００３８】
衛星信号３及び地上信号６，８、又は、ＳＩＳＯ及びＭＩＭＯ信号は、例えば、一意に定まる語などの送信された信号に含まれた値に基づいて、ＭＩＭＯ地上送受信機５，７によって識別可能となる。これは、例えば、往路及び／又は復路信号６，８の一部分として送信された符号語であったり、例えば、マルチメディアブロードキャスト信号３に関連した電子番組ガイドなどのデジタル情報サービスに関する一般的な反復データであったりしてよい。
【００３９】
ＭＩＭＯ地上送受信機５，７のそれぞれは、望ましいＭＩＭＯ地上信号６，８（ベクトルｙの１つ以上の成分）を最大化し、かつ望まれないＳＩＳＯ衛星信号３（ベクトルｙの少なくとも１つの成分）を最小化することによって、行列Ｈ内の複合要素を調整するように構成される。ＳＩＳＯ衛星信号３は、衛星送信機２から直接の経路で受信されてよく、又は、図２に示されたように、建物やその他の構造物からの反射信号として受信されてもよい。調整は、ＭＩＭＯチャネルが時間変化することを想定した継続的な処理である。
【００４０】
この処理を助けるために、ｐ本の受信アンテナ１２，１３又は受信アンテナ１４，１５のうちの１本は、望ましい地上信号ではなく、望ましくない衛星信号３を受信するように構成される。これにより、望ましくない衛星信号３の特性を決定することができ、その結果、受信した信号への影響を取り除くことができる。
【００４１】
図５は、本発明による別の通信システム２０を示す。上記通信２０では、ユーザ地上送受信機７と地上基地局送受信機５との間にフィードバック経路２１が設けられている。図示された実施例では、一方向への送信だけが示されているが、フィードバック経路は、図示されたフィードバック経路２１の代わりに、又は、それに加えて、地上基地局送受信機５からユーザ地上送受信機７にも設けることができる。フィードバック経路２１は、地上基地局送受信機５に、ユーザ送受信機７での状態の情報を提供する。その情報は、往路地上信号６の信号品質へ、例えば、衛星信号３に起因したいくらかの劣化を軽減する助けとなる。したがって、地上基地局送受信機５は、この目的のための信号処理回路を具備してよい。そのようなシステムは、本分野では、協働ＭＩＭＯシステムと称される。
【００４２】
以上、本発明の特定の実施例が記載されたが、本発明の範囲は、添付の特許請求の範囲によって定義されるのであって、実施例に限定されない。したがって、本発明は、当業者には自明な他の方法でも実現できる。
【００４３】
例えば、図３の実施例は、基地局５の２本の送信及び受信アンテナ１２，１３と、ユーザ地上送受信機７の２本の送信及び受信アンテナ１４，１５とを具備する。しかしながら、一般に、ＭＩＭＯシステムは、用いられる送受信機５，７のそれぞれに、送信を行うように構成された１本以上のアンテナと、受信を行うように構成された２本以上のアンテナとを具備する。必要となるＭＩＭＯ信号処理は、２つの送受信機５，７の両方では実行されず、例えば、２つの送受信機５，７のうちの片方だけで実行される。
【００４４】
また、本発明は、ＤＶＢ−Ｔに準拠したデジタルマルチメディアブロードキャスト信号及びＭＩＭＯ ＷｉＭＡＸ準拠信号の場合について説明されたが、デジタル信号及びアナログ信号の両方を含む他のタイプの通信信号が代替的又は追加的に使用されてもよい。例えば、代替的に、マルチメディアブロードキャスト信号は、ＤＶＢ−Ｈ、又は、代替デジタル又はアナログ方式に準拠してよい。衛星信号３及び地上信号６，８は、一実施例においては、同じタイプの信号であるが異なるコンテンツを搬送する信号、例えば、デジタルテレビジョン信号であってもよい。また、往路及び復路地上信号６，８が記載されたが、代わりに、ＭＩＭＯ通信リンクが一方向リンク、例えば、復路信号８の無い地上ブロードキャスト信号６だけであってもよい。この場合、基地局送受信機は、代わりに、送信機及び１本以上の対応する送信アンテナだけを具備し、かつユーザ地上送受信機は、代わりに、受信機および２本以上の対応する受信アンテナだけを具備する。移動デバイス７は、移動デバイスではなく、固定デバイスであってもよい。
【００４５】
さらに、衛星信号３はＳＩＳＯ構成を用いて送信されると記載したが、これは必須ではない。他の構成、例えば、ＭＩＭＯ構成が使用されてもよい。さらに、衛星信号３は一方向ブロードキャストとして記載されたが、代替的に、衛星受信機４は、衛星９に信号を送り返すように追加的に構成されてもよい。また、地表アンテナ１１などの通信システム１の他の構成要素には、当業者には明白な変形例が存在してもよい。
【００４６】
２つの地上受信機５，７のうちのどちらかの近くに位置した衛星受信機４における衛星信号３の受信は、２つの受信機のうちのどちらか又はその両方からの高い信号強度に起因した問題を有する。この制限は、所与の区域に提供されるサービスを検討することによって、又は、明細書中で説明したＳＩＳＯ衛星システムをＭＩＭＯ衛星受信機に置き換えることによって軽減できる。
【符号の説明】
【００４７】
１，２０  通信システム
２  衛星送信機
３  衛星信号経路
４  ＳＩＳＯ衛星受信機
５  地上基地局送受信機
６  往路地上信号経路
７  地上ユーザ送受信機
８，１６  復路地上信号経路
２１  フィードバック経路
【図１】
2011512060.tif 000003
【図２】
2011512060.tif 000004
【図３】
2011512060.tif 000005
【図４】
2011512060.tif 000006
【図５】
2011512060.tif 000007
【国際調査報告】
2011512060.tif 000008
2011512060.tif 000009